(57)【要約】【課題】本発明は、誤接続修正システムに関し、通信ケーブル接続時の作業効率を改善することができる誤接続修正システムを提供することを目的としている。【解決手段】送信ユニットＡと受信ユニットＢとが通信ケーブル３０を介して接続されたシステムにおいて、前記送信ユニットＡ内に各データ毎にＩＤを付するＩＤ付加手段１５を、前記受信ユニットＢ内に送信ユニットＡ側から送られてきたデータのＩＤを予め用意されているＩＤと比較する比較手段２５と、通信線路の接続替えを行なうスイッチ手段２６と、をそれぞれ具備し、前記比較手段２５のＩＤの比較結果によりスイッチ手段２６をスルーで抜けさせるか、方路の変更を行なうかどうかを決定するように構成する。【選択図】　　　図１
2004007896.tif 000002
【特許請求の範囲】
【請求項１】
送信ユニットと受信ユニットとが通信ケーブルを介して接続されたシステムにおいて、
前記送信ユニット内に各データ毎にＩＤを付するＩＤ付加手段を、
前記受信ユニット内に送信ユニット側から送られてきたデータのＩＤを予め用意されているＩＤと比較する比較手段と、通信線路の接続替えを行なうスイッチ手段と、
をそれぞれ具備し、
前記比較手段のＩＤの比較結果によりスイッチ手段をスルーで抜けさせるか、方路の変更を行なうかどうかを決定することを特徴とする誤接続修正システム。
【請求項２】
送信ユニットと受信ユニットとが通信ケーブルを介して接続されたシステムにおいて、
前記送信ユニット内に同一通信ケーブル内でデータＩＤの受け渡しを行なう信号線を、
前記受信ユニット内に送信ユニット側から送られてきたデータのＩＤを受信し、受信結果を判断する比較手段と、通信線路の接続替えを行なうスイッチ手段と、
をそれぞれ具備し、
前記比較手段の判断結果によりスイッチ手段をスルーで抜けさせるか、方路の変更を行なうかどうかを決定することを特徴とする誤接続修正システム。
【請求項３】
送信ユニットと受信ユニットとが通信ケーブルを介して接続されたシステムにおいて、
前記送信ユニット内に各データ毎にＩＤを付するＩＤ付加手段と、方路を変更するスイッチ手段を、
前記受信ユニット内に送信ユニット側から送られてきたデータのＩＤを予め用意されているＩＤと比較する比較手段と、該比較手段の比較結果により、アラームを発生するアラーム発生部をそれぞれ設け、
該アラーム発生部からの誤接続警報を入力して前記スイッチ手段に方路切り替えのための制御信号を与える監視制御ユニットを設けたことを特徴とする誤接続修正システム。
【発明の詳細な説明】
【０００１】
【発明の属する技術分野】
本発明は、ユニットが２つに分かれている通信装置において、ユニット間の通信ケーブルを保守又は現調時に誤接続をしてしまっても、自動的に誤接続を修正して正常な接続にする誤接続修正システムに関する。
【０００２】
【従来の技術】
従来、現調時（システム構築時）、作業員が架布線図（装置間配線部）を参照しながら、また、通信ケーブルに張り付けられている接続信号を確認しながら、装置のユニット間通信ケーブルの接続作業を行なっていた。
【０００３】
図６は従来システムの構成例を示すブロック図である。図において、１００は通信装置であり、送信ユニット１０と、受信ユニット２０から構成されている。送信ユニット１０をここでは、送信ユニットＡとする。また、受信ユニット２０をここでは、受信ユニットＢとする。３０は送信ユニットＡと受信ユニットＢとの間を接続する通信ケーブルである。
【０００４】
送信ユニットＡにおいて、１１はｎ個のデータを受けてパラレル／シリアル変換を行なうＰ／Ｓ部、１３は各データ毎にＩＤを生成するＩＤ生成部、１２は該ＩＤ生成部１３の出力を受けて各データにＩＤを付加するＩＤ付加部である。
【０００５】
受信ユニットＢにおいて、２１は通信ケーブル３０を介して送られてくる送信ユニットＡからのデータを受信して、期待するＩＤを記憶する期待するＩＤ記憶部２２からのＩＤとを比較するＩＤ比較／判定部である。２４は該ＩＤ比較／判定部２１からの比較結果に応じた不一致信号を受けてアラームを発生するＡＬＭ発生部である。２３は、前記ＩＤ比較／判定部２１の信号が一致した時、送られてくる各データを受けてシリアル／パラレル変換するＳ／Ｐ部である。該Ｓ／Ｐ部２３からは、ｎ個のデータが出力される。
【０００６】
このように構成されたシステムにおいて、入力される各データは、Ｐ／Ｓ変換部１１にてシリアル信号に変換される。このシリアル信号は、ＩＤ付加部１２に入る。ＩＤ付加部１２には、ＩＤ生成部１３が設けられており、入力されたデータ毎に順にＩＤを付加していく。
【０００７】
ＩＤ付加部１２から出力された信号は、通信ケーブル３０を介して受信ユニットＢに送られる。ＩＤ比較／判定部２１では、送られてきたシリアルデータに対し、各データに付加されているＩＤと、期待するＩＤ記憶部２２から与えられるＩＤとを比較する。そして、比較の結果、双方のＩＤが一致した場合には、シリアルデータを送出する。
【０００８】
ＩＤ比較／判定部２１から出力されたシリアルデータは、続くＳ／Ｐ部２３に入り、パラレルデータに変換された後、ｎビットの出力データとして出力される。一方、ＩＤ比較／判定部２１の比較の結果、双方のＩＤが不一致であった場合には、不一致信号をＡＬＭ発生部２４に与える。ＡＬＭ発生部２４は、表示部等に所定のアラーム表示を行なう。作業員は、ＩＤ比較／判定部２１の出力が不一致の場合には、再度接続をやり直す。
【０００９】
【発明が解決しようとする課題】
前述した従来の方法では、現調時や保守時に、作業員がユニット間の通信ケーブルを誤接続してしまった時には、ＡＬＭ発生部２４からの装置警報を確認しながら再度接続をやり直す作業が発生し、作業効率がよくなかった。特に、通信ケーブルが複数本ある場合は、作業員が誤接続を犯す可能性が高くなり、作業効率の低下を招いていた。
【００１０】
本発明はこのような課題に鑑みてなされたものであって、通信ケーブル接続時の作業効率を改善することができる誤接続修正システムを提供することを目的としている。
【００１１】
【課題を解決するための手段】
（１）図１は本発明の原理ブロック図である。図６と同一のものは、同一の符号を付して示す。図に示すシステム（通信装置）は、送信ユニット１０（送信ユニットＡ）と受信ユニット２０（受信ユニットＢ）と、これら送信ユニットＡと受信ユニットＢ間を接続する通信ケーブル３０から構成されている。
【００１２】
送信ユニットＡにおいて、１５は前記送信ユニットＡ内に各データ毎にＩＤを付するＩＤ付加手段である。受信ユニットＢにおいて、２５は前記受信ユニット内に送信ユニットＡ側から送られてきたデータのＩＤを予め用意されているＩＤと比較する比較手段、２６は通信線路の接続替えを行なうスイッチ（ＳＷ）手段である。
【００１３】
そして、前記比較手段２５のＩＤの比較結果によりスイッチ手段２６をスルーで抜けさせるか、方路の変更を行なうかどうかを決定する。
このように構成すれば、通信ケーブル３０内の配線に配線ミスがあった場合でも、比較手段２５とスイッチ手段２６とにより、正しい配線を自動的に行なうので、通信ケーブル接続時の作業効率を改善し、通信ケーブルの誤接続を修正することができる。
（２）請求項２記載の発明は、送信ユニットと受信ユニットとが通信ケーブルを介して接続されたシステムにおいて、前記送信ユニット内に同一通信ケーブル内で信号の受け渡しを行なう信号線を、前記受信ユニット内に送信ユニット側から送られてきたデータＩＤを受信し、受信結果を判断する比較手段と、通信線路の接続替えを行なうスイッチ手段と、をそれぞれ具備し、前記比較手段の判断結果によりスイッチ手段をスルーで抜けさせるか、方路の変更を行なうかどうかを決定することを特徴とする。
【００１４】
このように構成すれば、通信ケーブル内の配線に配線ミスがあった場合でも判断手段とスイッチ手段とにより、通信ケーブル接続時の作業効率を改善し、通信ケーブルの誤接続を修正することができる。
（３）請求項３記載の発明は、送信ユニットと受信ユニットとが通信ケーブルを介して接続されたシステムにおいて、前記送信ユニット内に各データ毎にＩＤを付するＩＤ付加手段と、方路を変更するスイッチ手段を、前記受信ユニット内に送信ユニット側から送られてきたデータのＩＤを予め用意されているＩＤと比較する比較手段と、該比較手段の比較結果により、アラームを発生するアラーム発生部をそれぞれ設け、該アラーム発生部からの誤接続警報を入力して前記スイッチ手段に方路切り替えのための制御信号を与える監視制御ユニットを設けたことを特徴とする。
【００１５】
このように構成すれば、スイッチ手段を送信ユニット側に移しても、監視制御ユニットとスイッチ手段とにより、通信ケーブル接続時の作業効率を改善することができる。
【００１６】
この発明において、送信ユニットと受信ユニットとが通信ケーブルを介して接続されたシステムにおいて、前記送信ユニット内に同一通信ケーブル内でデータＩＤの受け渡しを行なう信号線と、方路を変更するスイッチ手段を、前記受信ユニット内に送信ユニット側から送られてきたデータＩＤを受信し、受信結果を判断する比較手段と、該比較手段の判断結果により、アラームを発生するアラーム発生部をそれぞれ設け、前記アラーム発生部からの誤接続警報を入力して前記スイッチ手段に方路切り替えのための制御信号を与える監視制御ユニットを設けたことを特徴とする。
【００１７】
このように構成すれば、通信ケーブル内の破線に配線ミスがあった場合でも判断手段とスイッチ手段とにより、通信ケーブル接続時の作業効率を改善することができる。
【００１８】
また、この発明において、前記送信ユニットで、監視制御ユニットを経由せず、送信ユニットから受信ユニットへデータを送信している同一の通信ケーブルを用いて、送信ユニットにあるスイッチ制御部を制御して各データの方路を変更して誤接続を修正することを特徴とする。
【００１９】
このように構成すれば、監視制御ユニットを用いることなく、通信ケーブル接続時の作業効率を向上させ、通信ケーブルの誤接続を修正することができる。
また、この発明において、前記送信ユニットでデータにＩＤを付加するのではなく、同一通信ケーブル内の別信号線でＩＤの受け渡しを行ない、受信ユニットでは、別信号線で送られてくるデータＩＤを比較し、不一致の場合、受信ユニットから送信ユニットへ、同一ケーブルを用いて送信ユニットＡにあるスイッチ手段を制御して各データの方路を変更して誤接続を修正することを特徴とする。
【００２０】
このように構成すれば、通信ケーブル内の配線に配線ミスがあった場合でも判断手段とスイッチ手段とにより、通信ケーブル接続時の誤接続を修正することができる。
【００２１】
【発明の実施の形態】
以下、図面を参照して本発明の実施の形態例を詳細に説明する。
図２は本発明の第１の実施の形態例を示すブロック図である。図１と同一のものは、同一の符号を付して示す。図に示すシステムは、送信ユニットＡと受信ユニットＢとが通信ケーブル３０を介して接続されたシステムを構成している。
【００２２】
送信ユニットＡにおいて、１５ａは入力されるデータにＩＤを付加するＩＤ付加部、１５ｂはＩＤ付加部１５ａに所定のＩＤを与えるＩＤ生成部である。前記したＩＤ付加部１５ａとＩＤ生成部１５ｂとで、図１のＩＤ付加手段１５を構成している。
【００２３】
受信ユニットＢにおいて、２５ａは通信ケーブル３０を介して送信ユニットＡから送られてくる複数のデータを受けて、これらデータに付加されているＩＤと期待するＩＤ記憶部２５ｂに記憶されているＩＤとを比較するＩＤ比較部、２５ｂは期待するＩＤを記憶している期待するＩＤ記憶部である。これらＩＤ比較部２５ａと、期待するＩＤ記憶部２５ｂとで図１の比較手段２５を構成している。
【００２４】
２６ａはＩＤ比較部２５ａからの一致／不一致信号を受けてスイッチ（ＳＷ）部２６ｂの方路変更制御を行なうスイッチ（ＳＷ）制御部、２６ｂはＩＤ比較部２５ａからのデータを受けて方路変更を行なうスイッチ（ＳＷ）部である。スイッチ制御部２６ａとスイッチ部２６ｂとで、図１のスイッチ手段２６を構成している。このように構成されたシステムの動作を説明すれば、以下の通りである。
【００２５】
ＩＤ付加部１５ａには複数のデータ１〜データｎが入力されている。一方、ＩＤ付加部１５ａには、ＩＤ生成部１５ｂからＩＤが付与される。そして、ＩＤ付加部１５ａは、各データにそれぞれ固有のＩＤを付加する。
【００２６】
ＩＤが付加されたデータは、通信ケーブル３０を経て受信ユニットＢに送られる。ＩＤ比較部２５では、入力されたデータのＩＤと、期待するＩＤ記憶部２５ｂから与えられるＩＤとを比較する。比較の結果、双方のＩＤが一致した場合、ＩＤ比較部２５ａは、スイッチ制御部２６ａに一致信号を出力する。この結果、スイッチ制御部２６ａは、スイッチ部２６ｂに制御信号を送り、送られてきたデータをスイッチ部２６ｂを介してスルーで抜けさせる。
【００２７】
若し、比較の結果、双方のＩＤが不一致の場合、ＩＤ比較部２５ａはスイッチ制御部２６ａに不一致信号を出力する。この結果、スイッチ制御部２６ａは、スイッチ部２６ｂに対して制御信号を送り、方路が正しくなるように方路を変更する。
【００２８】
図３はスイッチ部の接続動作を示す図である。図に示す例では、（ａ）に示すように入力端子はＡ１〜Ａ７の端子で構成され、出力端子はＢ１〜Ｂ７の端子で構成される。スイッチ部２６ｂは、それぞれ対応する端子同士を接続するものとする。例えば、Ａ１−Ｂ１、Ａ２−Ｂ２という具合である。
【００２９】
ところが、（ｂ）に示すように本来ならばＡ１の信号がつながるべき入力端子の１番目の端子に誤接続によりＡ３端子の信号がきたものとする。この端子Ａ３の信号は、本来はＢ３と接続されるべきものである。そこで、スイッチ制御部２６ａは、入力端子Ａ３と出力端子Ｂ３を接続するようにする。この結果、端子Ａ３−Ｂ３間が接続され、正常な接続となる。
【００３０】
このように、この実施の形態例によれば、通信ケーブル３０内の配線に配線ミスがあった場合でも、ＩＤ比較部２５ａとスイッチ制御部２６ａとスイッチ部２６ｂとにより、正しい配線を自動的に行なうので、通信ケーブル接続時の作業効率を改善し、通信ケーブル３０の誤接続を修正することができる。
【００３１】
前述の実施の形態例では、各データに固有のＩＤを付加する場合について説明したが、各データにＩＤを付加するのではなく、同一通信ケーブル内の別信号線でＩＤの受け渡しを行ない、受信ユニットＢでは、別信号線で送られてきたデータＩＤを比較手段により比較し、不一致の場合、スイッチ制御部からの制御信号により、スイッチ部の方路を変更させることができる。この場合、において前記信号線は１本とし、この信号線に各データＩＤを直列に乗せるようにする。
【００３２】
これによれば、通信ケーブル内の配線に配線ミスがあった場合でも判断手段とスイッチ部とにより、通信ケーブル接続時の作業効率を改善し、通信ケーブルの誤接続を修正することができる。
【００３３】
図４は本発明の第２の実施の形態例を示すブロック図である。図２と同一のものは、同一の符号を付して示す。この通信装置１００も、図２に示す第１の実施の形態例と同様に送信ユニットＡと受信ユニットＢから構成されている。図２の実施の形態例と比較して異なる構成は、図２では、受信ユニットＢ側に設けていたスイッチ部を送信ユニットＡ側に設けた点である。
【００３４】
送信ユニットＡ側において、１５ａは各データ１〜ｎを受けてＩＤを付加するＩＤ付加部、１５ｂは各データ毎に付するＩＤを生成するＩＤ生成部である。１６ａはＩＤ付加部１５ａの出力であるデータ１１〜データｎ１を受けて方路を変更するスイッチ部、１６ｂは該スイッチ部１６ａに方路変更のための制御信号２を与えるスイッチ（ＳＷ）制御部である。スイッチ部１６ａの出力は、通信ケーブル３０と接続される。
【００３５】
受信ユニットＢにおいて、２７は通信ケーブル３０を介して送られてくるデータを受けて、そのＩＤを比較／判定するＩＤ比較／判定部、２５ｂは、該ＩＤ比較／判定部２７に予め期待されているＩＤを与える期待するＩＤ記憶部である。２８はＩＤ比較／判定部２７の一致／不一致信号を受けて誤接続警報を出力するアラーム（ＡＬＭ）発生部である。
【００３６】
４０はＡＬＭ発生部２８の出力を受けて監視制御を行なう監視制御ユニットである。該監視制御ユニット４０は、アラームを収集するＡＬＭ収集部４１と、該ＡＬＭ収集部４１の出力を受けて前記スイッチ制御部１６ｂに制御信号１を与える制御部４２から構成されている。そして、該監視制御ユニット４０の出力は、前記送信ユニットＡのスイッチ制御部１６に与えられる。このように構成されたシステムの動作を比較すると以下の通りである。
【００３７】
ＩＤ付加部１５ａには複数のデータ１〜データｎが入力されている。一方、ＩＤ付加部１５ａには、ＩＤ生成部１５ｂからＩＤが付与される。そして、ＩＤ付加部１５ａは、各データにそれぞれ固有のＩＤを付加する。
【００３８】
ＩＤが付加されたデータは、スイッチ部１６ａに入り、該スイッチ部１６ａをスルーで抜け、通信ケーブル３０を経て受信ユニットＢに送られる。受信ユニットＢにおいて、ＩＤ比較／判定部２７は、送られてきたデータのＩＤと期待するＩＤ記憶部２５ｂ記憶されているＩＤと比較する。比較の結果、双方のＩＤが一致した場合には何もしない。
【００３９】
一方、比較の結果、双方のＩＤが不一致の場合、つまり、通信ケーブルの接続ミスによる誤接続である場合、ＩＤ比較／判定部２７は、ＡＬＭ発生部２８に不一致信号を出力する。ＡＬＭ発生部２８はこの不一致信号を受けると、監視制御ユニット４０に誤接続警報を出力する。監視制御ユニット４０では、前記誤接続警報をＡＬＭ収集部４１で受信し、制御部４２に与える。該制御部４２は、送信ユニットＡに対して、制御信号１を出力する。
【００４０】
該制御信号１は、送信ユニットＡのスイッチ制御部１６ｂに入る。該スイッチ制御部１６ｂは、この制御信号１を受けると、スイッチ部１６ａに対して制御信号２を出力する。該スイッチ部１６ａは、制御信号２に応じて、データ１１〜ｎ１の出力方路を変更する。この場合、通信ケーブルの誤接続で生じた誤接続警報が解除されても、データ１１〜ｎ１の出力方路は保持したままとなる。そして、再度誤接続警報が発生した場合のみ、最適なデータ出力方路を選択することになる。
【００４１】
この実施の形態例によれば、スイッチ部を送信ユニット側に移しても、監視制御ユニット４０とスイッチ部１６ａの動作により、通信ケーブル接続時の作業効率を改善することができる。
【００４２】
図４の実施の形態例では、各データに固有のＩＤを付加する場合について説明したが、各データにＩＤを付加するのではなく、同一通信ケーブル内の別信号線でＩＤの受け渡しを行ない、受信ユニットＢでは、別信号線で送られてきたデータＩＤを比較手段により比較し、不一致の場合、監視制御ユニットからの制御信号により、スイッチ部の方路を変更させることができる。
【００４３】
これによれば、通信ケーブル内の配線に配線ミスがあった場合でも監視制御ユニットとスイッチ部とにより、通信ケーブル接続時の作業効率を改善し、通信ケーブルの誤接続を修正することができる。
【００４４】
図５は本発明の第３の実施の形態例を示すブロック図である。図４と同一のものは、同一の符号を付して示す。この実施の形態例は、図４に示す実施の形態例のように、監視制御ユニットを経由して送信ユニットＡのスイッチ制御部に制御信号１を渡すのではなく、送信ユニットＡから受信ユニットＢへ接続される通信ケーブルを利用して、送信ユニットＡのスイッチ制御部１６ｂへ制御信号１を渡すようにしたものである。
【００４５】
送信ユニットＡ側において、１５ａは各データ１〜ｎを受けてＩＤを付加するＩＤ付加部、１５ｂは各データ毎に付するＩＤを生成するＩＤ生成部である。１６ａはＩＤ付加部１５ａの出力であるデータ１１〜データｎ１を受けて方路を変更するスイッチ部、１６ｂは該スイッチ部１６ａに方路変更のための制御信号２を与えるスイッチ（ＳＷ）制御部である。スイッチ部１６ａの出力は、通信ケーブル３０と接続される。
【００４６】
受信ユニットＢにおいて、２７は通信ケーブル３０を介して送られてくるデータを受けて、そのＩＤを比較／判定するＩＤ比較／判定部、２５ｂは、該ＩＤ比較／判定部２７に予め期待されているＩＤを与える期待するＩＤ記憶部である。２９はＩＤ比較／判定部２７の一致／不一致信号を受けて制御信号を出力するＩＤ送信部である。該ＩＤ送信部２９の出力は、通信ケーブル３０を介して制御信号１として送信ユニットＡのスイッチ制御部１６ｂに与えられる。このように構成されたシステムの動作を説明すれば、以下の通りである。
【００４７】
ＩＤ付加部１５ａには複数のデータ１〜データｎが入力されている。一方、ＩＤ付加部１５ａには、ＩＤ生成部１５ｂからＩＤが付与される。そして、ＩＤ付加部１５ａは、各データにそれぞれ固有のＩＤを付加する。
【００４８】
ＩＤが付加されたデータは、スイッチ部１６ａに入り、該スイッチ部１６ａをスルーで抜け、通信ケーブル３０を経て受信ユニットＢに送られる。受信ユニットＢにおいて、ＩＤ比較／判定部２７は、送られてきたデータのＩＤと期待するＩＤ記憶部２５ｂ記憶されているＩＤと比較する。比較の結果、双方のＩＤが一致した場合には何もしない。
【００４９】
一方、比較の結果、双方のＩＤが不一致の場合、つまり、通信ケーブルの接続ミスによる誤接続である場合、ＩＤ比較／判定部２７は、ＩＤ送信部２９に不一致信号を出力する。ＩＤ送信部２９はこの不一致信号を受けると、通信ケーブル３０を介してスイッチ制御部１６ｂに制御信号１を送出する。
【００５０】
該制御信号１は、送信ユニットＡのスイッチ制御部１６ｂに入る。該スイッチ制御部１６ｂは、この制御信号１を受けると、スイッチ部１６ａに対して制御信号２を出力する。該スイッチ部１６ａは、制御信号２に応じて、データ１１〜ｎ１の出力方路を変更する。この場合、通信ケーブルの誤接続で生じた誤接続警報が解除されても、データ１１〜ｎ１の出力方路は保持したままとなる。そして、再度誤接続警報が発生した場合のみ、最適なデータ出力方路を選択することになる。
【００５１】
以上、説明したように、この実施の形態例によれば、監視制御ユニットを用いることなく、通信ケーブル接続時の作業効率を向上させ、通信ケーブルの誤接続を修正することができる。
【００５２】
ここで、図５に示す実施の形態例において、前記送信ユニットでデータにＩＤを付加するのではなく、同一通信ケーブル内の別信号線でＩＤの受け渡しを行ない、受信ユニットでは、別信号線で送られてくる識別信号を比較し、不一致の場合、受信ユニットから送信ユニットへ、同一ケーブルを用いて送信ユニットＡにあるスイッチ手段を制御して各データの方路を変更することができる。
【００５３】
このようにすれば、通信ケーブル内の配線に配線ミスがあった場合でも、ＩＤ比較／判定部とスイッチ部とにより、通信ケーブル接続時の誤接続を修正することができる。
【００５４】
（付記１）　送信ユニットと受信ユニットとが通信ケーブルを介して接続されたシステムにおいて、
前記送信ユニット内に各データ毎にＩＤを付するＩＤ付加手段を、
前記受信ユニット内に送信ユニット側から送られてきたデータのＩＤを予め用意されているＩＤと比較する比較手段と、通信線路の接続替えを行なうスイッチ手段と、
をそれぞれ具備し、
前記比較手段のＩＤの比較結果によりスイッチ手段をスルーで抜けさせるか、方路の変更を行なうかどうかを決定することを特徴とする誤接続修正システム。
【００５５】
（付記２）　送信ユニットと受信ユニットとが通信ケーブルを介して接続されたシステムにおいて、
前記送信ユニット内に同一通信ケーブル内で信号の受け渡しを行なう信号線を、
前記受信ユニット内に送信ユニット側から送られてきたデータＩＤを受信し、受信結果を判断する比較手段と、通信線路の接続替えを行なうスイッチ手段と、をそれぞれ具備し、
前記比較手段の判断結果によりスイッチ手段をスルーで抜けさせるか、方路の変更を行なうかどうかを決定することを特徴とする誤接続修正システム。
【００５６】
（付記３）　送信ユニットと受信ユニットとが通信ケーブルを介して接続されたシステムにおいて、
前記送信ユニット内に各データ毎にＩＤを付するＩＤ付加手段と、方路を変更するスイッチ手段を、
前記受信ユニット内に送信ユニット側から送られてきたデータのＩＤを予め用意されているＩＤと比較する比較手段と、該比較手段の比較結果により、アラームを発生するアラーム発生部をそれぞれ設け、
該アラーム発生部からの誤接続警報を入力して前記スイッチ手段に方路切り替えのための制御信号を与える監視制御ユニットを設けたことを特徴とする誤接続修正システム。
【００５７】
（付記４）　送信ユニットと受信ユニットとが通信ケーブルを介して接続されたシステムにおいて、
前記送信ユニット内に同一通信ケーブル内でデータＩＤの受け渡しを行なう信号線と、方路を変更するスイッチ手段を、
前記受信ユニット内に送信ユニット側から送られてきた信号を受信し、受信結果を判断する比較手段と、該比較手段の判断結果により、アラームを発生するアラーム発生部をそれぞれ設け、
前記アラーム発生部からの誤接続警報を入力して前記スイッチ手段に方路切り替えのための制御信号を与える監視制御ユニットを設けたことを特徴とする誤接続修正システム。
【００５８】
（付記５）　前記送信ユニットで、監視制御ユニットを経由せず、送信ユニットから受信ユニットへデータを送信している同一の通信ケーブルを用いて、送信ユニットにあるスイッチ制御部を制御して各データの方路を変更して誤接続を修正することを特徴とする付記３記載の誤接続修正システム。
【００５９】
（付記６）　前記送信ユニットでデータにＩＤを付加するのではなく、同一通信ケーブル内の別信号線でＩＤの受け渡しを行ない、受信ユニットでは、別信号線で送られてくるデータＩＤを比較し、不一致の場合、受信ユニットから送信ユニットへ、同一ケーブルを用いて送信ユニットにあるスイッチ手段を制御して各データの方路を変更して誤接続を修正することを特徴とする付記５記載の誤接続修正システム。
【００６０】
【発明の効果】
以上説明したように、本発明によれば以下の効果が得られる。
（１）請求項１記載の発明によれば、通信ケーブル内の配線に配線ミスがあった場合でも、比較手段とスイッチ手段とにより、正しい配線を自動的に行なうので、通信ケーブル接続時の作業効率を改善し、通信ケーブルの誤接続を修正することができる。
（２）請求項２記載の発明によれば、通信ケーブル内の配線に配線ミスがあった場合でも判断手段とスイッチ手段とにより、通信ケーブル接続時の作業効率を改善し、通信ケーブルの誤接続を修正することができる。
（３）請求項３記載の発明によれば、スイッチ手段を送信ユニット側に移しても、監視制御ユニットとスイッチ手段とにより、通信ケーブル接続時の作業効率を改善することができる。
【００６１】
このように、本発明によれば、通信ケーブル接続時の作業効率を改善することができる誤接続修正システムを提供することができる。
【図面の簡単な説明】
【図１】本発明の原理ブロック図である。
【図２】本発明の第１の実施の形態例を示すブロック図である。
【図３】スイッチ部の接続動作を示す図である。
【図４】本発明の第２の実施の形態例を示すブロック図である。
【図５】本発明の第３の実施の形態例を示すブロック図である。
【図６】従来システムの構成例を示すブロック図である。
【符号の説明】
１０　送信ユニット
１５　ＩＤ付加手段
２０　受信ユニット
２５　比較手段
２６　スイッチ手段
【図１】
2004007896.tif 000003
【図２】
2004007896.tif 000004
【図３】
2004007896.tif 000005
【図４】
2004007896.tif 000006
【図５】
2004007896.tif 000007
【図６】
2004007896.tif 000008